Podtech/llm-jp-corpus-v4-ja_patent huggingface dataset:
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
表面および／または皮膚の消毒剤を貯蔵および投与するように構成された消毒剤ディスペンサ（１）であって、
消毒剤（３）を含む第１の貯蔵容器（２）と、
マーキング剤（５）を含む第２の貯蔵容器（４）であって、前記マーキング剤が前記第２の貯蔵容器内で不活性である、第２の貯蔵容器（４）と、
前記消毒剤ディスペンサが作動されると前記マーキング剤が前記消毒剤と混合される混合部と、を備え、
前記マーキング剤は、該マーキング剤が前記消毒剤ディスペンサから投与された後に不活性状態で提供される、消毒剤ディスペンサ（１）。
【請求項２】
前記消毒剤ディスペンサ（１）は、前記マーキング剤が不活性状態から活性状態に移行可能な活性化部（９）を含む、ことを特徴とする請求項１に記載の消毒剤ディスペンサ（１）。
【請求項３】
前記活性化部（９）は、熱導入のための装置を含み、該熱導入は前記マーキング剤を前記活性状態に移行させるように構成される、ことを特徴とする請求項２に記載の消毒剤ディスペンサ（１）。
【請求項４】
前記活性化部（９）は、電磁放射を導入するための装置を含み、該電磁放射は前記マーキング剤を前記活性状態に移行させるように構成される、ことを特徴とする請求項２に記載の消毒剤ディスペンサ。
【請求項５】
前記活性化部（９）は、液体の流動特性および／または内部摩擦に影響を与えるように構成された流動学的に効力のある薬剤を含み、該流動学的薬剤は、マイクロカプセル化したマーキング剤量を前記消毒剤量に放出させるように構成される、ことを特徴とする請求項２に記載の消毒剤ディスペンサ。
【請求項６】
前記消毒剤ディスペンサは二重壁容器、特に二重壁チューブとして構成され、前記マーキング剤（５）用の前記貯蔵容器（４）が、前記二重壁容器の内部空洞（Ａ）または二重壁空洞（Ｂ）によって形成される、ことを特徴とする請求項１乃至５のいずれか１項に記載の消毒剤ディスペンサ。
【請求項７】
物体および身体部分の表面消毒のための消毒剤であって、
消毒ベース成分と、該ベース成分と混合可能なマーキング剤とを備え、該マーキング剤は、前記消毒ベース成分と混合される前は不活性であり、前記消毒剤を混合して表面に塗布した後は、前記マーキング剤が人の目で検出可能かつ技術的にも検出可能なように前記消毒された表面を着色によってマーキングし、該マーキングの効果は消毒状態の低下とともに低下する、消毒剤。
【請求項８】
前記マーキング剤は、視覚的に知覚可能な着色剤である、ことを特徴とする請求項７に記載の消毒剤。
【請求項９】
前記マーキング剤は、エネルギー導入によって蛍光を発する着色剤である、ことを特徴とする請求項７または８に記載の消毒剤。
【請求項１０】
前記マーキング剤は、不可視領域で検出可能な着色剤である、ことを特徴とする請求項７乃至９のいずれか１項に記載の消毒剤。
【請求項１１】
前記マーキング剤は、前記消毒ベース成分との相互作用、または外部からの影響によって揮発状態または分解可能状態に変化可能である、ことを特徴とする請求項７乃至１０のいずれか１項に記載の消毒剤。
【請求項１２】
前記マーキング剤は、前記消毒ベース成分との相互作用によって前記不活性状態から第２の活性状態に移行可能であり、前記マーキング剤の前記活性状態は、前記消毒された物体の表面および／または周囲環境との相互作用によって揮発状態または分解可能状態に変化可能である、ことを特徴とする請求項７乃至１１のいずれか１項に記載の消毒剤。
【請求項１３】
前記マーキング剤のマーキング効果は、該マーキング剤の前記揮発状態または分解可能状態の間に提供される、ことを特徴とする請求項１１または１２に記載の消毒剤。
【請求項１４】
前記マーキング剤のマーキング効果は、前記消毒ベース成分の殺菌効果によって生じる生物分解生成物によって活性化可能である、ことを特徴とする請求項７乃至１３のいずれか１項に記載の消毒剤。
【請求項１５】
前記マーキング剤のマーキング効果は、分子スイッチ構造によって生じ、該分子スイッチ構造は、第１の電磁照射によって前記マーキング剤の色知覚可能状態および／または検出可能状態をもたらし、第２の電磁照射によって色知覚不可能状態および／または検出不可能状態の前記マーキング剤に可逆である、ことを特徴とする請求項７乃至１４のいずれか１項に記載の消毒剤。
【請求項１６】
人の消毒状態を公衆に通知するための方法であって、
消毒ステーション（１８）において、かつ／あるいは携帯用消毒剤ディスペンサから、消毒すべき皮膚領域に消毒成分およびマーキング成分を含む消毒混合物を塗布するステップと、
前記消毒工程中に、前記消毒すべき皮膚領域を前記マーキング成分によって着色するステップと、
前記消毒された皮膚領域上の着色を目に見える状態で持続させるステップであって、前記皮膚領域の消毒状態が一般に知覚可能かつ検出可能なように通知される、ステップと、
遅くとも前記皮膚領域の無菌状態が低下すると前記着色の持続を低下させるステップであって、該ステップよって生じた退色または色の変化も、一般に知覚可能かつ検出可能なように通知される、ステップと、を含む方法。
【請求項１７】
前記消毒および着色された皮膚領域は、アクセス制御装置（１９）によって登録され、該アクセス制御装置による登録工程の結果として、人の出入りが許可または阻止される、ことを特徴とする請求項１６に記載の方法。
【請求項１８】
前記消毒および着色された皮膚領域は、画像取込みおよび画像認識装置（２０，２１）によって登録され、領域内に位置する人、および／または特定の通過領域を通って歩行する人の消毒監視が、実行された画像取込みおよび画像認識によって提供される、ことを特徴とする請求項１６または１７に記載の方法。
【請求項１９】
前記消毒された皮膚領域上の着色の目に見える状態の持続は、前記皮膚領域の無菌状態が前記消毒成分によって生じ次第開始する、ことを特徴とする請求項１６に記載の方法。
【請求項２０】
前記皮膚領域上の着色の目に見える状態の持続は、前記消毒成分の殺菌効果によって生じ、これにより生成された生物分解生成物が、前記マーキング成分で目に見える色反応を生じさせる、ことを特徴とする請求項１９に記載の方法。
【請求項２１】
前記皮膚領域上の着色の目に見える状態の持続は、前記消毒成分の蒸発工程の開始によって生じ、これにより前記マーキング成分の色反応が生じる、ことを特徴とする請求項２０に記載の方法。
【請求項２２】
前記マーキング成分の持続の低下は、周囲空気の影響に起因する前記着色の消失、および／または周囲光の影響に起因する漂白によって生じる、ことを特徴とする請求項１６乃至２１のいずれか１項に記載の方法。
【請求項２３】
前記マーキング成分の持続の低下は、第２の消毒剤の影響によって生じる、ことを特徴とする、請求項１６乃至２２のいずれか１項に記載の方法。
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
組織除去システムにおいて、
ハンドピースと上部ハウジングとを含むとともに、外側カニューレと前記外側カニューレ内に配置された内側カニューレとを備えるように構成された組織除去装置と、
前記組織除去装置に選択的に取り付けるように構成されたハブを含むとともに、前記外側カニューレ上に少なくとも部分的に配設されたスリーブを有する照明装置であって、前記ハブが、前記ハンドピースの一部を部分的に囲む本体と、開口を画定するとともに前記スリーブからずらして配設された光ファイバチャネルと、前記本体に形成されたスリットによって画定されたスナップ特徴部とを含む、照明装置と、 
前記チャネル内に配設されるとともに前記開口から手術部位に光を供給するように構成された光源と、
を備えることを特徴とする組織除去システム。
【請求項２】
請求項１に記載のシステムにおいて、前記光源が光ファイバケーブルであることを特徴とするシステム。
【請求項３】
請求項２に記載のシステムにおいて、前記光ファイバケーブルが、前記スリーブの先端開口から外方に延びることを特徴とするシステム。
【請求項４】
請求項１に記載のシステムにおいて、前記ハブが、前記ハブ上の前記スリーブを設置状態に保持するように前記スリーブの一部分を受け入れるためのトラックを画定することを特徴とするシステム。
【請求項５】
請求項１に記載のシステムにおいて、前記ハブが前記上部ハウジングに対して回転可能であることを特徴とするシステム。
【請求項６】
請求項１に記載のシステムにおいて、前記スリーブ開口が、前記外側カニューレ開口の先端部に近接することを特徴とするシステム。
【請求項７】
組織除去システムとともに使用する照明装置において、
スリーブの先端スリーブ開口を通して手術部位に光を提供するように構成された光源を含むスリーブと、
前記組織除去システムの一部の周りに選択的に取り付けられて前記スリーブを内部に保持するように構成された半円筒状本体を含むハブと
を備え、
前記半円筒状本体は、前記組織除去システムの一部に係合するように構成された少なくとも１つのスナップ特徴部を画定しており、前記スナップ特徴部は前記半円筒状本体に形成されたスリットによって画定され、当該スリットは、前記円筒状本体の長さの一部に沿って、前記半円筒状本体の基端部から先端部に向かって延びていることを特徴とする照明装置。
【請求項８】
請求項７に記載の装置において、前記ハブが、前記ハブ上の前記スリーブを設置状態に保持するように前記スリーブの一部分を受け入れるためのトラックを画定することを特徴とする装置。
【請求項９】
請求項７に記載の装置において、前記半円筒状本体が前記上部ハウジングに対して回転可能であることを特徴とする装置。
【請求項１０】
請求項９に記載の装置において、前記半円筒状本体は、前記半円筒状本体の第１の縁部がハンドピースに当接する第１の位置と、前記半円筒状本体の第２の反対側縁部が前記ハンドピースに当接する第２の位置との間で回転可能であることを特徴とする装置。
【請求項１１】
請求項７に記載の装置において、前記半円筒状本体が約１２０度回転可能であることを特徴とする装置。
【請求項１２】
請求項１に記載の装置において、前記スナップ特徴部が、前記上部ハウジングに対する前記ハブの短手方向の移動を防止するために前記ハブを前記上部ハウジングに固定するように構成されることを特徴とする装置。
【請求項１３】
請求項１２に記載の装置において、前記スナップ特徴部が、前記上部ハウジング上に配設されたリングに係合するように構成され、前記ハブが前記リングを中心に回転するように構成されることを特徴とする装置。
【請求項１４】
組織除去システム用の光学取付組立体において、
組織除去システムの外側カニューレ上に少なくとも部分的に配設されたスリーブであって、光ファイバケーブルを含むスリーブと、
前記光ファイバケーブルに光を提供するように構成された光源を含むハウジングであって、前記光源への暴露を防止するために前記光源を取り囲むケージを含むハウジングと
を備えることを特徴とする光学取付組立体。
【請求項１５】
請求項１４に記載の組立体において、前記ハウジングが、前記光源により発生した熱を放散するように前記光源の周囲に配設されたヒートシンクを含むことを特徴とする組立体。
【請求項１６】
請求項１５に記載の組立体において、前記ケージが、前記ヒートシンクを取り囲み、かつ前記ヒートシンクの大気暴露をもたらすための複数の開口を画定することを特徴とする組立体。
【請求項１７】
請求項１４に記載の組立体において、前記ケージが、前記ハウジングを前記組織除去システムに選択的に取り付けるための少なくとも１つのクランプを含むことを特徴とする組立体。
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
薬剤送達装置であって、
流体を含む薬剤容器と、
駆動システムと、
電源および制御システムと、
タイマと、
ユーザによる機械的作動に適合されるニードル挿入機構と、
を含み、
前記ニードル挿入機構の作動により、カニューレが標的に挿入され、かつ前記電源および制御システムが、前記タイマによって監視される所定時間にわたって遅延モードに入り、さらに、前記所定時間の完了時、前記電源および制御システムが送達モードに入り、前記送達モードでは、前記電源および制御システムが、前記駆動システムに、前記薬剤容器からの前記流体を、前記ニードル挿入機構を通してかつ標的に送達させる、薬剤送達装置。
【請求項２】
状態スイッチをさらに含み、前記状態スイッチの作動により、前記電源および制御システムが前記遅延モードに入る、請求項１に記載の薬剤送達装置。
【請求項３】
前記状態スイッチが、前記ニードル挿入機構の作動後、前記ニードル挿入機構の一部との接触によって作動されるように構成される、請求項２に記載の薬剤送達装置。
【請求項４】
前記ニードル挿入機構が回転ニードル挿入機構であり、および前記ニードル挿入機構の一部の回転が前記状態スイッチとの接触をもたらす、請求項３に記載の薬剤送達装置。
【請求項５】
前記遅延モードの間、前記電源および制御システムが、前記電源および制御システムが遅延モード表示器を提供する通信モードに断続的に入る、請求項１に記載の薬剤送達装置。
【請求項６】
前記遅延モード表示器が視覚的な表示または可聴式の表示である、請求項５に記載の薬剤送達装置。
【請求項７】
前記駆動システムが前記流体のボーラス送達をもたらす、請求項１に記載の薬剤送達装置。
【請求項８】
前記電源および制御システムが前記流体の送達の完了時に送達終了表示器の作動をもたらす、請求項１に記載の薬剤送達装置。
【請求項９】
前記薬剤送達装置が前記標的に近いことを検出するように構成される身体上センサをさらに含み、前記身体上センサの作動が前記電源および制御システムの作動をもたらす、請求項１に記載の薬剤送達装置。
【請求項１０】
前記ニードル挿入機構が前記電源および制御システムの作動後に所定時間内に作動されない場合、前記電源および制御システムがニードル挿入機構要求通知の作動をもたらす、請求項９に記載の薬剤送達装置。
【請求項１１】
前記電源および制御システムが、前記送達モードに入ると、送達モード表示器の作動をもたらす、請求項１に記載の薬剤送達装置。
【請求項１２】
前記送達モード表示器が視覚的な表示または可聴式の表示である、請求項１１に記載の薬剤送達装置。
【請求項１３】
薬剤送達装置の作動方法であって、
ニードル挿入機構が作動すると、電源および制御システムを作動させて遅延モードに入るステップと、
所定時間の完了時、前記電源および制御システムが送達モードに入るステップと、
前記電源および制御システムが駆動システムを作動させて、薬剤容器からの流体を、前記ニードル挿入機構を通して標的に送達するステップと、を含む、薬剤送達装置の作動方法。
【請求項１４】
状態スイッチを作動させるステップをさらに含む、請求項１３に記載の作動方法。
【請求項１５】
前記状態スイッチが、前記ニードル挿入機構との接触によって作動される、請求項１４に記載の作動方法。
【請求項１６】
前記遅延モードの間、前記電源および制御システムが断続的に通信モードに入って、遅延モード表示器を提供するステップをさらに含む、請求項１３に記載の作動方法。
【請求項１７】
身体上センサを作動させて、前記電源および制御システムの作動をもたらすステップをさらに含む、請求項１３に記載の作動方法。
【請求項１８】
前記電源および制御システムが、前記送達モードに入ると、送達モード表示器の作動をもたらすステップをさらに含む、請求項１３に記載の作動方法。
【請求項１９】
前記ニードル挿入機構が前記電源および制御システムの作動後に所定時間内に作動されない場合、前記電源および制御システムがニードル挿入機構要求通知の作動をもたらすステップをさらに含む、請求項１３に記載の作動方法。
【請求項２０】
前記電源および制御システムが前記流体の送達の完了時に送達終了表示器の作動をもたらすステップをさらに含む、請求項１３に記載の作動方法。
【手続補正２】
【補正対象書類名】明細書
【補正対象項目名】発明の名称
【補正方法】変更
【補正の内容】
【発明の名称】薬剤送達装置およびその作動方法
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
眼を処置するためのシステムであって、：
マスク装置が前側および後側を包含し、
後側が顔に接近して位置付けられるように構成され、
前側が顔から遠位に位置付けられるように構成され、
マスク装置が少なくとも前側と後側との間に伸長する外壁を包含し、
外壁が第一および第二の眼を挟んで伸長するチャンバを画定し、
チャンバが第一のセクションおよび第二のセクションを包含し、
第一のセクションが第一の眼の上に位置付けられるように構成され、
第二のセクションが第二の眼の上に位置付けられるように構成され、
前側が第一のセクションの上に配置された第一の透過領域および第二のセクションの上に配置された第二の透過領域を包含し、
第一の透過領域が第一の眼のための第一の光活性化光が第一のセクションに供給されることを可能にし、
第二の透過領域が第二の眼のための第二の光活性化光が第二のセクションに供給されることを可能にする、
顔の第一および第二の眼の上に位置付けられるように構成されるマスク装置と；
周囲空気とは異なるガスを貯蔵する少なくとも一つのガス源と；
ガス供給システムが貯蔵されたガスをマスク装置のチャンバに供給するように構成される、少なくとも一つのガス源をマスク装置に連結するガス供給システムと、を含むシステム。
【請求項２】
ガスが周囲空気中の環境濃度の酸素よりもより大きい増加した濃度の酸素を包含する、請求項１記載のシステム。
ガス供給システムがチャンバの第一のセクションにつながる第一のポートと、チャンバの第二のセクションに伸長する第二のポートと、を包含する請求項１記載のシステム。
【請求項３】
ガス供給システムがチャンバの第一のセクションにつながる第一のポートと、チャンバの第二のセクションに伸長する第二のポートと、を包含し、
少なくとも一つのガス源が、
マスク装置に連結され、第一のガスが第一のポートを介して第一のセクションに流れることを可能にする第一の開口を包含する第一のガス源と、
マスク装置に連結され、第二のガスが第二のポートを介して第二のセクションに流れることを可能にする第二の開口を包含する第二のガス源と、を包含する請求項１記載のシステム。
【請求項４】
ガス供給システムがチャンバの第一のセクションにつながる第一のポートと、チャンバの第二のセクションに伸長する第二のポートと、を包含し、
マスク装置が第一の拡散器および第二の拡散器を包含し、
第一のポートが第一の拡散器につながり、
第二のポートが第二の拡散器につながり、
第一の拡散器が第一のガスを顔の第一のこめかみに向けて供給して第一のセクションに流れる第一のガスの乱流または背圧を最小化するように構成され、
第二の拡散器が第二のガスを顔の第二のこめかみに向けて供給して第二のセクションに流れる第二のガスの乱流または背圧を最小化するように構成される、請求項１記載のシステム。
【請求項５】
第一の光活性化光または第二の光活性化光の少なくとも一つを供給するように構成される少なくとも一つの照明装置をさらに含む、請求項１記載のシステム。
【請求項６】
第一の透過領域が前側に形成される第一のアパーチャであり、
第二の透過領域が前側に形成される第二のアパーチャである、請求項１記載のシステム。
【請求項７】
第一の透過領域が前側に形成される第一の窓を包含し、
第二の透過領域が前側に形成される第二の窓である、請求項１記載のシステム。
【請求項８】
マスク装置に連結され、第一の溶液を第一の眼に供給するように構成される第一の溶液アプリケータと、
マスク装置に連結され、第二の溶液を第二の眼に供給するように構成される第二の溶液アプリケータと、をさらに含む請求項１記載のシステム。
【請求項９】
ガスが第一のセクションから第二のセクションまでおよび逆にチャンバにわたって流れることができる、請求項１記載のシステム。
【請求項１０】
マスク装置がマスク装置のチャンバの第一のセクションと第二のセクションとを分離する内壁を包含する、請求項１記載のシステム。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
失調性呼吸を患う患者の呼吸パターンを再同期させる方法であり、前記方法は、
−睡眠中の前記患者の呼吸パターンを観察するステップ、
−前記観察される呼吸パターンが失調性呼吸の発現を含んでいるか検出するステップ、並びに
−失調性呼吸の発現が検出される場合、前記患者の個人的に関連付けられるしきい値より上である、供給される呼吸ガスの分時量で、前記呼吸ガスのフローを前記患者の気道に供給することにより、第１の既定される時間の期間（Δｔ１）にわたり、前記患者を換気する及び前記患者の自発呼吸を除去するステップ
を有する方法。
【請求項２】
失調性呼吸の発現を検出する前記ステップは、前記患者の分時換気量、呼吸頻度及び呼吸振幅の１つ以上を評価するステップを含む、請求項１に記載の方法。
【請求項３】
前記患者の分時換気量、呼吸頻度及び呼吸振幅の１つ以上の時間を通じての変化が既定されるしきい値よりも大きい場合、前記観察される患者の呼吸パターンの一部は、失調性呼吸の発現として特定される、請求項２に記載の方法。
【請求項４】
請求項１に記載の方法はさらに、
（ｉ）前記既定される時間の期間の後、少なくとも第２の既定される時間の期間（Δｔ２）にわたり前記呼吸ガスの供給を中断するステップ、
（ｉｉ）前記第２の既定される時間の期間中に前記患者の呼吸パターンを観察するステップ、
（ｉｉｉ）前記第２の既定される時間の期間中に失調性呼吸の発現が検出される場合、第３の既定される時間の期間（Δｔ３）にわたり再び前記患者を換気する及び前記患者の自発呼吸を除去するステップ、
−前記第２の時間の期間（Δｔ２）中に失調性呼吸の発現がもはや検出されなくなるまで、ステップ（ｉ）−（ｉｉｉ）を繰り返すステップ、
を有する方法。
【請求項５】
ステップ（ｉｉｉ）が繰り返されるたび、以前のステップ（ｉｉｉ）において供給された呼吸ガスのフローに比べ増大した分時量で、前記呼吸ガスのフローが供給される、請求項４に記載の方法。
【請求項６】
前記観察される呼吸パターンにおいて失調性呼吸の発現が検出されないとき、前記患者の分時換気量を決定することにより、前記患者の個人的に関連付けられるしきい値を決定するステップをさらに有する、請求項１に記載の方法。
【請求項７】
前記第１の時間の期間（Δｔ１）にわたり前記患者を換気する及び前記患者の自発呼吸を除去する前記ステップは、前記患者の１つ以上の呼吸パラメタを検出するステップ、及び前記検出される１つ以上の呼吸パラメタが供給される呼吸ガスのフローと同期するまで、前記供給される呼吸ガスのフローの分時量を増大させるステップであり、さらにこのとき、この時点における前記供給される呼吸ガスのフローの分時量を、既定される一定の又は相対的な追加値だけ増大させるステップを有する、請求項１に記載の方法。
【請求項８】
前記供給される呼吸ガスのフローは、振動しているガスのフローである、請求項１に記載の方法。
【請求項９】
失調性呼吸を患う患者の呼吸パターンを再同期させる装置において、前記装置は、
−睡眠中の前記患者の呼吸パターンを観察するセンサであり、呼吸信号を生成する前記センサ、
−呼吸ガスのフローを発生させる圧力発生器、
−前記患者の気道に前記発生した呼吸ガスのフローを誘導するための患者インタフェースを含む患者回路、及び
−制御器
を有し、前記制御器は、
−前記観察される呼吸パターンが失調性呼吸の発現を含んでいるか検出するために、前記呼吸信号を評価する、及び
−前記呼吸信号において失調性呼吸の発現が検出される場合、第１の既定される時間の期間（Δｔ１）にわたり前記患者を換気する及び前記患者の自発呼吸を除去するように、前記患者の個人的に関連付けられるしきい値より上である分時量で、前記呼吸ガスのフローを前記第１の既定される時間の期間（Δｔ１）にわたり供給するように前記圧力発生器を制御する
ように構成される、装置。
【請求項１０】
前記センサは、フローセンサ、圧力センサ、カメラ、レーダーセンサ、加速度計、圧電センサ及び電気化学ガスセンサの少なくとも１つを含む、請求項９に記載の装置。
【請求項１１】
前記制御器は、
−前記呼吸信号に基づいて、前記患者の分時換気量、呼吸頻度及び呼吸振幅の１つ以上を決定する、
−前記分時換気量、前記呼吸頻度及び前記呼吸振幅の１つ以上の時間を通じての変化を評価する、並びに
−前記患者の前記分時換気量、前記呼吸頻度及び前記呼吸振幅の１つ以上の時間を通じての前記変化が既定されるしきい値より大きい場合、前記観察される患者の呼吸パターンの一部を失調性呼吸の発現として特定する
ように構成される、請求項９に記載の装置。
【請求項１２】
前記制御器は、
（ｉ）前記既定される時間の期間の後、少なくとも第２の既定される時間の期間（Δｔ２）にわたり前記呼吸ガスの供給を中断するように前記圧力発生器を制御する、
（ｉｉ）前記第２の既定される時間の期間（Δｔ２）中に前記患者の呼吸パターンを観察するように前記センサを制御する、並びに
（ｉｉｉ）前記第２の時間の期間（Δｔ２）中に失調性呼吸の発現が検出される場合、前記患者を換気する及び前記患者の自発呼吸を除去するように、前記患者の前記個人的に関連付けられるしきい値より上である分時量で、再び前記呼吸ガスのフローを第３の既定される時間の期間にわたり供給するように前記圧力発生器を制御する
ように構成され、前記制御器は、前記第２の時間の期間（Δｔ２）中に失調性呼吸の発現がもはや検出されなくなるまで、制御ステップ（ｉ）−（ｉｉｉ）を繰り返すように構成される、請求項９に記載の装置。
【請求項１３】
前記制御器により前記制御ステップ（ｉｉｉ）が繰り返されるたび、前記制御器は、以前の制御ステップ（ｉｉｉ）において供給した前記呼吸ガスのフローに比べ増大した分時量で前記呼吸ガスのフローを供給するように前記圧力発生器を制御する、請求項１２に記載の装置。
【請求項１４】
前記制御器は、前記観察される呼吸パターンにおいて失調性呼吸の発現が検出されないとき、前記呼吸信号に基づいて、前記患者の分時換気量を決定することにより、前記患者の前記個人的に関連付けられるしきい値を決定するように構成される、請求項９に記載の装置。
【請求項１５】
コンピュータプログラムがコンピュータ上で実行されるとき、請求項１に記載の方法のステップを前記コンピュータに実行させるためのプログラムコード手段を有するコンピュータプログラム。
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
画像取得システムであって、
高データレート（ＨＤＲ）無線通信リンク（ＨＤＲ−ＷＣＬ）を介した送信のためのパケットを形成する送信機と、
画像データを取得し、ＨＤＲデータを形成する画像取得デバイスと、
画像取得中に前記画像取得システムの少なくとも１つの機能を制御するための制御情報を取得し、前記画像取得システムの少なくとも決定論的タイミング要件に従って前記ＨＤＲ−ＷＣＬの前記パケットの制限されたパケットサイズを決定し、前記画像取得システムの前記決定論的タイミング要件及び前記制限されたパケットサイズに従って、前記パケットのうちの対応するパケットにおける前記制御情報を有する単一の無線データストリームにおいて、前記制御情報及び前記画像データの両方を送信するためのスケジュールを決定するスケジューラと
を制御する少なくとも１つのプロセッサを備え、
前記少なくとも１つのプロセッサは、前記制御情報を前記スケジュールに従った送信のための選択されたパケット内に配置し、前記画像データを少なくとも１つの他のパケット内に配置する、画像取得システム。
【請求項２】
前記送信機は更に、前記スケジューラによって決定された前記制限されたパケットサイズに基づいて送信のための前記パケットの前記パケットサイズを制限する、請求項１に記載の画像取得システム。
【請求項３】
前記制限されたパケットサイズは、前記スケジューラによって、リアルタイムオペレーティングシステム（ＲＴＯＳ）制御、及び同じＨＤＲ−ＷＣＬを用いた前記ＨＤＲデータの高データレート情報転送を提供するパケットサイズになるように決定される、請求項１に記載の画像取得システム。
【請求項４】
前記少なくとも１つのプロセッサは、前記制限されたパケットサイズによって決定された変更パケットサイズを用いて無線通信プロトコル規格に従って前記ＨＤＲ−ＷＣＬを確立するように前記送信機を制御する、請求項１に記載の画像取得システム。
【請求項５】
制限されたパケットの前記パケットサイズは、リアルタイムオペレーティングシステム（ＲＴＯＳ）制御を提供するために、前記無線通信プロトコル規格に従って決定された最小パケットサイズから低減される、請求項４に記載の画像取得システム。
【請求項６】
前記少なくとも１つのプロセッサは、
リアルタイムオペレーティングシステム（ＲＴＯＳ）制御語が送信のためにスケジューリングされているか否かを判断し、
前記ＲＴＯＳ制御語が送信のために現在スケジューリングされていると判断されると、前記ＲＴＯＳ制御語を送信のために現在のパケット内に配置し、
前記ＲＴＯＳ制御語が送信のために現在スケジューリングされていないと判断されると、前記画像データをパケット内に配置する、請求項１に記載の画像取得システム。
【請求項７】
前記少なくとも１つのプロセッサは、オープンシステムインターコネクション（ＯＳＩ）モデルプロトコルスタックの媒体アクセス制御（ＭＡＣ）サブレイヤにおいて、パケットサイズを、決定された前記制限されたパケットサイズに低減することによって変更する、請求項１に記載の画像取得システム。
【請求項８】
前記制御情報は、傾斜磁場コイル及び無線周波数（ＲＦ）コイルのうちの少なくとも一方を制御するための少なくとも磁気共鳴（ＭＲ）シーケンス情報を含む、請求項１に記載の画像取得システム。
【請求項９】
画像情報は、光学的方法又は磁気共鳴（ＭＲ）方法を用いて取得される、請求項１に記載の画像取得システム。
【請求項１０】
前記制御情報に従って前記少なくとも１つのプロセッサによって制御されるロボットマニピュレータを更に備える、請求項１に記載の画像取得システム。
【請求項１１】
少なくとも１つのプロセッサを有する画像取得システムによって行われるデータ送信方法であって、前記データ送信方法は、少なくとも１つのプロセッサによって制御され、
高データレート（ＨＤＲ）無線通信リンク（ＨＤＲ−ＷＣＬ）を介した送信のためのパケットを形成するように送信機を制御するステップと、
画像データを取得し、対応するＨＤＲデータを形成するように画像取得デバイスを制御するステップと、
画像取得中に前記画像取得システムの少なくとも１つの機能を制御するための制御情報を取得し、前記画像取得システムの少なくとも決定論的タイミング要件に従って前記ＨＤＲ−ＷＣＬの前記パケットの制限されたパケットサイズを決定し、前記画像取得システムの前記決定論的タイミング要件及び前記制限されたパケットサイズに従って、前記パケットのうちの対応するパケットにおける前記制御情報を有する単一の無線データストリームにおいて、前記制御情報及び前記画像データの両方を送信するためのスケジュールを決定するようにスケジューラを制御するステップと、
を有し、
前記少なくとも１つのプロセッサは、前記制御情報を前記スケジュールに従った送信のための選択されたパケット内に配置し、前記画像データを少なくとも１つの他のパケット内に配置するように動作する、データ送信方法。
【請求項１２】
前記スケジューラによって決定された前記制限されたパケットサイズに基づいて送信のための前記パケットの前記パケットサイズを制限するステップを更に有する、請求項１１に記載のデータ送信方法。
【請求項１３】
前記制限されたパケットサイズは、前記スケジューラによって、リアルタイムオペレーティングシステム（ＲＴＯＳ）制御、及び同じＨＤＲ−ＷＣＬを用いた前記ＨＤＲデータの高データレート情報転送を提供するパケットサイズになるように決定される、請求項１１に記載のデータ送信方法。
【請求項１４】
前記制限されたパケットサイズによって決定された変更パケットサイズを用いて無線通信プロトコル規格に従って前記ＨＤＲ−ＷＣＬを確立するように前記送信機を制御するステップを更に有する、請求項１１に記載のデータ送信方法。
【請求項１５】
制限されたパケットの前記パケットサイズは、リアルタイムオペレーティングシステム（ＲＴＯＳ）制御を提供するために、前記無線通信プロトコル規格に従って決定された最小パケットサイズから低減される、請求項１４に記載のデータ送信方法。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
マクロ多孔質ハイドロゲルを提供するための方法であって、以下の工程、
ａ）第１及び第２の溶質を含む水溶液を提供する工程であって、ここで
ｉ）該第１の溶質が、ポリエチレングリコール（ＰＥＧ）の架橋可能な誘導体及びポリオキサゾリン（ＰＯｘ）の架橋可能な誘導体から選択される架橋可能なポリマーであり；及び
ｉｉ）該第２の溶質が、ヒアルロナン、マンヌロナン、カラギーナン、ヘパリン、コンドロイチン硫酸、デキストラン、ヒドロキシプロピルデキストラン、ペクチン、アルギン酸塩、ジェランガム、セルロース、メチルセルロース、エチルセルロース、アセチルセルロース、デンプン及びヒドロキシプロピルデンプンを含む群から選択される多糖類コスモトロピック試薬であって、前記水溶液中の前記多糖類コスモトロピック試薬の濃度が０．１〜５０％（ｗ／ｖ）であり；及び
ｂ）前記架橋可能なポリマーを架橋することができる架橋試薬を前記混合物へ添加し、それにより前記架橋可能なポリマーのゲル化及び相分離を同時に開始する工程
を含む、マクロ多孔質ハイドロゲルを提供するための方法。
【請求項２】
前記架橋可能なポリマーが、
ａ）直鎖又は星型のポリエチレングリコール、ポリエチレングリコールジブロックコポリマー及びポリエチレングリコールトリブロックコポリマーを含む群；又は
ｂ）ポリメチルオキサゾリン、ポリエチルオキサゾリン、ポリプロピルオキサゾリン及びポリブチルオキサゾリンを含む群；又は
ｃ）直鎖又は星型のポリオキサゾリン及びオキサゾリンのコポリマーを含む群；又は
ｄ）部分的に加水分解されたポリ２−メチルオキサゾリン又はポリ２−エチルオキサゾリンを含む群
ｅ）一方がポリエチレングリコールであり、及び他方がポリエチレン（ＰＥ）、ポリ乳酸（ＰＬＡ）、乳酸−グリコール酸共重合体（ＰＬＧＡ）、ポリε−カプロラクトン（ＰＣＬ）及びポリスチレンを含む群から選択される、２つのモノマーのブロックで構成されるポリエチレングリコールジブロックコポリマー
ｆ）一方がポリエチレングリコールであり、及び他方がポリプロピレングリコール（ＰＰＧ）及び乳酸−グリコール酸共重合体（ＰＬＧＡ）から選択される、２つのモノマーのブロックで構成されるポリエチレングリコールトリブロックコポリマー
から選択される、請求項１に記載の方法。
【請求項３】
前記架橋可能なポリマーが、アクリレート、メタクリレート、アクリルアミド、ビニルエステル、マレイミド、ビニルスルホン、アルキン、アジド、アルデヒド及びチオール部分を含む群から選択される反応性部分を含む、請求項１又は２に記載の方法。
【請求項４】
前記架橋可能なポリマーがビニルスルホンで修飾され、及び前記架橋試薬が、
ａ）２つのチオール（−ＳＨ）部分を含む短いリンカー分子；及び
ｂ）１級チオール（−ＣＨ２ＳＨ）部分を含む星型のポリエチレングリコール又は１級チオール（−ＣＨ２ＳＨ）部分を含む直鎖のポリエチレングリコール：及び
ｃ）２〜１００アミノ酸を含むペプチドであって、ここで前記アミノ酸の２つがシステインであるペプチド；及び
ｄ）２つのシステインを含むタンパク質、
を含む群から選択される、
請求項１〜３のいずれか１項に記載の方法。
【請求項５】
前記架橋可能なポリマーの分子量が１，０００〜１，０００，０００ｇ／ｍｏｌである、請求項１〜４のいずれか１項に記載の方法。
【請求項６】
前記水溶液中の前記架橋可能なポリマーの濃度が０．５〜１０％（ｗ／ｖ）である、請求項１〜５のいずれか１項に記載の方法。
【請求項７】
前記水溶液が、前記ポリエチレングリコールの架橋可能な誘導体を０．５〜３％（ｗ／ｖ）又は前記ポリオキサゾリンの架橋可能な誘導体を４〜１０％（ｗ／ｖ）含む、請求項１〜６のいずれか１項に記載の方法。
【請求項８】
前記多糖類コスモトロピック試薬が、ペクチン、アルギン酸塩、ジェランガム、セルロース、ヒアルロナン、マンヌロナン及びデキストランを含む群から選択される多糖類であり、及びここで前記多糖類が、１，０００ｇ／ｍｏｌ〜１０，０００，０００ｇ／ｍｏｌの範囲の分子量によって特徴づけられる、請求項１〜７のいずれか１項に記載の方法。
【請求項９】
前記水溶液中の前記多糖類コスモトロピック試薬の濃度が、０．１〜５％（ｗ／ｖ）である、請求項１〜８のいずれか１項に記載の方法。
【請求項１０】
前記水溶液が、ヒアルロナンを０．１〜１％、又はマンヌロナンを０．５〜５％、又はデキストランを０．１〜２０％、又はそれらの混合物を含む、請求項１〜８のいずれか１項に記載の方法。
【請求項１１】
前記架橋可能なポリマーが、ビニルスルホン部分で修飾した２０ｋＤａの４アーム−ＰＥＧ−チオールであり、前記多糖類がマンヌロナンであり、及び前記架橋試薬がマトリックスメタロプロテアーゼ切断可能ペプチドである、請求項１〜１０のいずれか１項に記載の方法。
【請求項１２】
前記水溶液がｐＨ７．０〜８．０によって特徴づけられ；及び前記架橋試薬の添加を２０〜４０℃で行う、請求項１〜１１のいずれか１項に記載の方法。
【請求項１３】
架橋前に前記水溶液に細胞を添加する、請求項１〜１２のいずれか１項に記載の方法。
【請求項１４】
請求項１〜１３のいずれか１項に記載の方法によって得られる、又は得ることができるマクロ多孔質ゲル。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
マウスピースを定めるハウジング、
大気圧より上の圧力でユーザにガスを供給するための、加圧レベルで加圧されるガスのポータブルな供給源、及び
呼気終末陽圧を供給するために、少なくとも呼気中に圧力制御を提供する圧力制御システム
を有するポータブルな呼吸補助装置において、
前記圧力制御システムは、前記圧力が前記加圧レベルより下の圧力に制御可能であるように減圧弁を有する、ポータブルな呼吸補助装置。
【請求項２】
前記圧力制御システムはさらに、吸気中及び呼気中に異なる圧力を調整するように制御可能である、請求項１に記載の装置。
【請求項３】
前記圧力制御システムは、前記加圧されるガスの供給源と前記マウスピースとの間の第１の弁、前記マウスピースと周囲空気への通気口との間の第２の弁、及び前記第１の弁が開いている又は閉じているかに応じて、前記マウスピースにおける圧力を調整するように前記第２の弁を制御するための圧力フィードバック路を有する、請求項２に記載の装置。
【請求項４】
前記圧力フィードバック路は電気式であり、圧力センサからの信号及び２つの基準信号の一方を受信するコントローラを有し、前記基準信号は、前記第１の弁が開いている又は閉じているかに依存する、並びに前記コントローラの出力は前記第２の弁を制御する、請求項３に記載の装置。
【請求項５】
前記圧力フィードバック路は機械式であり、前記第１の弁の出口側の圧力により制御され、前記第２の弁を閉位置に向けて付勢するバイアス要素を有し、前記バイアス要素の付勢の有り無し両方で前記第２の弁を前記閉位置に付勢することは機械的に調節可能である、
請求項１に記載の装置。
【請求項６】
前記第１の弁は、手動操作されるユーザ制御を有する、請求項４又は５に記載の装置。
【請求項７】
前記加圧されるガスのポータブルな供給源は、
ポータブルなガスキャニスタ、又は
圧縮ガスを蓄えるためのポータブルなガスキャニスタ、及び前記ガスキャニスタからの前記圧縮ガスを周囲空気と混合するための混合器
をさらに有し、前記混合器は任意で、周囲空気を吸い込むためのファンを駆動させるために前記圧縮ガスで動くタービンを有する、請求項１乃至６の何れか一項に記載の装置。
【請求項８】
前記ポータブルなガスキャニスタは、前記装置の他の部分に電力を供給するためのバッテリー、例えば再充電可能なバッテリーに取り付けられる、請求項７に記載の装置。
【請求項９】
前記装置はさらに、前記ハウジング内に第２の再充電可能なバッテリーを有し、前記ポータブルなガスキャニスタの前記バッテリーは、前記第２のバッテリーを再充電するためである、請求項８に記載の装置。
【請求項１０】
ユーザの呼吸特性を検出するためのセンサ配列、並びに
呼吸命令又は運動に関する、或いは呼吸パフォーマンスに関する、及び前記検出された呼吸特性を考慮している出力情報を提供するための出力インジケータ
をさらに有する、請求項１乃至９の何れか一項に記載の装置。
【請求項１１】
ポータブルな呼吸補助システムにおいて、
請求項１乃至１０の何れか一項に記載のポータブルな呼吸補助装置、及び
ポータブルな呼吸補助装置のためのガス供給システム、
を有し、前記ガス供給システムは、ガスキャニスタ、及び前記ガスキャニスタ内又は上に取り付けられ、それにより前記ガスキャニスタに接続される、前記ポータブルな呼吸補助装置に電力を供給するためのバッテリーを有する、ポータブルな呼吸補助システム。
【請求項１２】
前記バッテリーは、再充電可能なバッテリーを有し、前記ガスキャニスタ及び前記再充電可能なバッテリーは、共通のドッキングステーションから再充電されるように適応する、ポータブルな呼吸補助システム。
【請求項１３】
加圧レベルで加圧されるガスのポータブルな供給源に接続されるポータブルな装置を用いて、大気圧より上の圧力でユーザにガスを供給するステップ、及び
前記加圧レベルより下の圧力に前記圧力を制御するための減圧を与えることにより、呼気終末陽圧を提供するために、少なくとも呼気中に圧力制御を提供するステップ
を有する呼吸補助を提供する方法。
【請求項１４】
吸気中及び呼気中に異なる圧力を調整するステップをさらに有する、請求項１３に記載の方法。
【請求項１５】
前記圧力制御システムは、ユーザが前記加圧されるガスの供給源からガスを放出するために流量弁を稼働させるとき、吸気中に前記圧力を調整するように適応する、請求項１４に記載の方法。
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
被験者（１）の視覚挙動を検査する機器（１０）であって、
−  時間経過に伴いに変化し、且つ少なくとも１行（Ｌ１、ｌ２）又は１列に整列した複数の位置（３０）の少なくとも１個の視覚的に目立つ目標（２０）の表示に適したアクティブディスプレイ（１１）と、
−  前記ディスプレイ（１１）を制御する装置であって、前記目標（２０）の前記連続的に表示される位置（３０）が、時間経過に伴い、視線追跡プロトコルを追跡すべくプログラムされた装置を含む機器。
【請求項２】
前記連続的に表示される位置（３０）の全てが、前記被験者（１）の視野内に前記目標（２０）が留まるように示される、請求項１に記載の検査機器（１０）。
【請求項３】
前記目標（２０）の前記位置（３０）が、実質的に平行な少なくとも２行（Ｌ１、Ｌ２）又は２列に整列している請求項１又は２に記載の検査機器（１０）。
【請求項４】
前記複数が、各行又は列において、前記目標（２０）の少なくとも３個の整列した位置（３５、３６、３７）を含んでいる請求項１に記載の検査機器（１０）。
【請求項５】
前記制御装置が、前記視線追跡プロトコルの各位置（３０）において、前記目標（２０）を所定時間にわたり表示させる、請求項１に記載の検査機器（１０）。
【請求項６】
前記所定時間が５０ミリ秒〜１秒である、請求項５に記載の検査機器（１０）。
【請求項７】
前記目標（２０）が前記所定時間にわたり静止したままである、請求項５又は６に記載の検査機器（１０）。
【請求項８】
制御装置が、前記視線追跡プロトコルの２個の連続的な位置（３０）の間で前記目標（２０）の表示に所定の遅滞があるようにする、請求項１に記載の検査機器（１０）。
【請求項９】
前記所定の遅滞が、前記視線追跡プロトコル動作中に変化する、請求項８に記載の検査機器（１０）。
【請求項１０】
前記制御装置が、前記視線追跡プロトコルの２個の連続的な位置（３０）が、１０センチメートル未満の間隔（ＥＭ１、ＥＭ２、ＥＭ３、ＥＭ４）を空けられるようにする、請求項１に記載の検査機器（１０）。
【請求項１１】
前記制御装置が、前記視線追跡プロトコルの２個の連続的な位置（３０）が、前記視線追跡プロトコル動作中絶えず変化する間隔（ＥＭ１、ＥＭ２、ＥＭ３、ＥＭ４）を空けられるようにする、請求項１に記載の検査機器（１０）。
【請求項１２】
前記制御装置が、前記視線追跡プロトコルの好適な垂直方向の移動（ＳＶ）及び好適な水平方向の移動（ＳＨ）をメモリに保存する、請求項１に記載の検査機器（１０）。
【請求項１３】
前記視線追跡プロトコルが、所与の書記法により定義されるものに合致する読取軌道を辿ることにより、前記書記法に従い読書中の前記被験者（１）の注視の変位を再現する、請求項１に記載の検査機器（１０）。
【請求項１４】
被験者（１）により選択されたフレームへの取り付けを意図された眼鏡レンズを、前記被験者の視覚挙動に応じて設計するための少なくとも１個の光学パラメータを決定する方法であって、請求項１に記載の前記検査機器（１０）を使用し、以下のステップ、すなわち
ａ）被験者（１）に対し、前記表示機器の前記ディスプレイ（１１）に表示されている目標（２０）を、前記目標（２０）の前記位置（３０）が撮像装置に設定された基準系内で予め決定されている状態で見る視覚的作業を行うよう求めるステップと、
ｂ）前記目標（２０）を見ている前記被験者（１）の頭部の画像を、各画像が前記目標（２０）の所定位置（３０）に対応している状態で前記撮像装置により撮像するステップと、
ｃ）前記被験者（１）の頭部の画像の少なくともいくつかに基づいて、前記撮像装置に設定された基準系における前記被験者（１）の頭部の位置、又は前記被験者（１）の頭部に設定された基準系における前記被験者の注視方向（ＤＲ）を、前記被験者（１）の頭部の各位置又は注視方向が前記被験者（１）の頭部の対応する画像が撮像された前記目標（２）の位置に関連付けられている状態で判定するステップと、
ｄ）前記求められていた光学設計パラメータを、前記被験者（１）の前記頭部位置又は注視方向から推論するステップを含む方法。
【請求項１５】
ステップｄ）の前に、前記目標（２０）の前記位置（７０）が、前記被験者（１）の頭部に設定された基準系において前記被験者（１）の頭部又は注視方向の前記判定された位置に基づいて再現され、ステップｄ）において、求められている前記光学設計パラメータが、前記被験者（１）の頭部に設定された基準系における前記目標（２０）の前記位置（７０）から推論される、請求項１４に記載の決定方法。
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
高血圧、糖尿病、末期腎疾患または肥満を含む疾患を処置するための方法において用いるための化学的切除製剤であって、該方法が：
体腔へバルーン送達カテーテルを挿入すること、ここで、該挿入が、主腎動脈枝、腎臓外動脈枝、肝動脈、肝臓腹腔動脈、肝動脈枝、右肝動脈、左肝動脈、総肝動脈、固有肝動脈、肝臓腹腔動脈、腹腔動脈、胃動脈、右胃動脈、左胃動脈、十二指腸動脈または食道枝動脈における処置部位へバルーン送達カテーテルを挿入することを含む；
処置部位においてバルーン送達カテーテルを膨張させること；
処置部位の神経または神経末端に隣接する体腔壁へ膨張させたバルーン送達カテーテルから化学的切除製剤を注入すること、ここで、製剤の少なくとも1つの成分が、エタノールおよび酢酸より選択され、送達される製剤の量が、送達される製剤の量が、神経または神経末端を傷つけるかまたは損傷して、処置される疾患の症状を緩和するのに有効である；
バルーン送達カテーテルを収縮させること；および
体腔から送達カテーテルを引き抜くこと
を含む、製剤。
【請求項２】
製剤が、水、生理食塩水、高張生理食塩水、フェノール、メタノール、エタノール、無水アルコール、イソプロパノール、プロパノール、ブタノール、イソブタノール、エチレングリコール、グリセロール、酢酸、乳酸、ヨウ化プロピル、ヨウ化イソプロピル、ヨウ化エチル、酢酸メチル、酢酸エチル、硝酸エチル、酢酸イソプロピル、乳酸エチル、リピオドール、尿素、それらの誘導体、およびそれらの組合せから選択される1以上の成分を含む、請求項1に記載の製剤。
【請求項３】
製剤が、酸素、窒素、ヘリウム、アルゴン、空気、二酸化炭素、一酸化窒素、水、フェノール、メタノール、エタノール、無水アルコール、イソプロパノール、プロパノール、ブタノール、イソブタノール、エチレングリコール、グリセロール、酢酸、乳酸、ヨウ化プロピル、ヨウ化イソプロピル、ヨウ化エチル、酢酸メチル、酢酸エチル、硝酸エチル、酢酸イソプロピルおよび乳酸エチル、ならびにそれらの混合物から選択されるガスまたは蒸気を含む、請求項1または2に記載の製剤。
【請求項４】
製剤が、除神経のための治療薬を含み、治療剤が、ナトリウムチャネルブロッカー、テトロドトキシン、サキシトキシン、脱カルバモイルサキシトキシン、バニロイド、ネオサキシトキシン、リドカイン、コノトキシン、強心配糖体、ジゴキシン、グルタメート、スタウロスポリン、アムロジピン、ベラパミル、シマリン、ジギトキシン、プロスシラリジン、ウアバイン、ベラトリジン、ドウモイ酸、オレアンドリン、カルバマゼピン、アフラトキシン、グアネチジン、硫酸グアネチジン、およびそれらの混合物から選択される、請求項1〜3のいずれか一項に記載の製剤。
【請求項５】
製剤が、共沸混合物を含む、請求項1〜4のいずれか一項に記載の製剤。
【請求項６】
製剤が、エタノールからなる、請求項1に記載の製剤。
【請求項７】
製剤が、1以上の成分のガス、蒸気、液体、溶液、エマルジョンまたは懸濁液、またはそれらの組合せを含む、請求項1〜6のいずれか一項に記載の製剤。
【請求項８】
製剤が、1以上の成分の蒸気を含み、熱が、処置部位の神経または神経末端に隣接する体腔壁における蒸気の液体への凝縮により発生するか、あるいは、製剤が、液体、溶液、エマルジョンまたは懸濁液を含み、熱が、製剤から処置部位の神経または神経末端に隣接する体腔壁へ移されるか、あるいはそれらの組合せである、請求項7に記載の製剤。
【請求項９】
製剤が、-40℃〜140℃の範囲の温度である、請求項1〜8のいずれか一項に記載の製剤。
【請求項１０】
注入中に、処置部位の神経または神経末端に隣接する体腔壁が、-40℃〜140℃の範囲の温度を有する、請求項1〜9のいずれか一項に記載の製剤。
【請求項１１】
方法が、処置部位の神経または神経末端に隣接する体腔壁へ2 cal/g〜150 cal/gの範囲の熱またはエネルギーの量を送達する、請求項1〜10のいずれか一項に記載の製剤。
【請求項１２】
注入中の製剤の圧力が、0.1 atm〜14 atmの範囲である、請求項1〜11のいずれか一項に記載の製剤。
【請求項１３】
処置部位へ注入される製剤の量が、0.2マイクロリットル〜200ミリリットルの範囲である、請求項1〜12のいずれか一項に記載の製剤。
【請求項１４】
方法が、送達カテーテルを体腔へ2秒〜60分間挿入することを含む、請求項1〜13のいずれか一項に記載の製剤。
【請求項１５】
バルーン送達カテーテルが、シングルバルーン送達カテーテル、ダブルバルーン送達カテーテル、ダンベルバルーン注入カテーテル、およびそれらの組合せから選択される、請求項1〜14のいずれか一項に記載の製剤。
【請求項１６】
バルーン送達カテーテルが、膨張するバルーンカテーテルであり、該膨張するバルーンカテーテルが、近位端、遠位端、ワイヤールーメン、バルーン膨張ルーメン、製剤注入ルーメンおよび/または真空ルーメン、膨張可能バルーンおよび膨張不能シャフトを含み、膨張可能バルーン部および/または膨張不能シャフトが、複数の空隙を有する第1部を少なくとも含み、該空隙が、マイクロホールであり、膨張可能バルーン部および/または膨張不能シャフトが、空隙を有しない第2部を少なくとも含む、請求項1〜15のいずれか一項に記載の製剤。
【請求項１７】
膨張可能部が、第1遠位部、第1中央部および第1近位部を含み、第1遠位部および第1近位部の直径が、第1中央部の直径より大きい、請求項16に記載の製剤。
【請求項１８】
膨張可能部または膨張不能部の空隙が、体腔より高い圧力の体腔壁への製剤の透過を可能にする、請求項16または17に記載の製剤。
【請求項１９】
製剤が、エタノール、酢酸、エタノールと水、エタノール/水の共沸混合物またはエタノールと酢酸を含む、請求項1〜18のいずれか一項に記載の製剤。
【請求項２０】
製剤の酢酸含量が、1〜100重量％である、請求項1〜19のいずれか一項に記載の製剤。
【請求項２１】
製剤が、エタノールと酢酸を含む、請求項1〜20のいずれか一項に記載の製剤。
【請求項２２】
製剤が、エタノールと水を含む、請求項1〜19のいずれか一項に記載の製剤。
【請求項２３】
製剤が、エタノール/水の共沸混合物を含む、請求項1〜19のいずれか一項に記載の製剤。
【請求項２４】
体腔の遠位部分を生理食塩水または水で洗い流すことをさらに含む、請求項1〜23のいずれか一項に記載の製剤。
【請求項２５】
疾患が、腎性高血圧である、請求項1〜24のいずれか一項に記載の製剤。
【請求項２６】
疾患が、糖尿病である、請求項1〜24のいずれか一項に記載の製剤。
【請求項２７】
疾患が、肥満である、請求項1〜24のいずれか一項に記載の製剤。
【請求項２８】
処置部位が、主腎動脈枝、腎臓外動脈枝またはそれらの組合せを含み、方法が、腎ノルエピネフリンの少なくとも40％の低下をもたらす、請求項1〜27のいずれか一項に記載の製剤。